(57)【要約】【課題】扱胴の取り扱い性に優れた脱穀装置が要望されている。【解決手段】脱穀装置９に、扱室１８に設けられる扱胴１２と、扱胴１２を上方から覆う開閉可能な扱室カバー３９と、が備えられている。扱胴１２は、前後方向に延びる扱胴軸２０と、扱胴軸２０に支持されると共に複数の扱歯４１が外周部に取り付けられる胴体４２と、を有している。胴体４２は、胴体４２が前後に分割されて構成され、かつ、一体に回転する複数の胴体部４８を有している。胴体部４８は、胴体部４８が扱胴軸２０周りの周方向に分割されて構成された複数の胴体部構成部材５７、５８を有する周方向分割胴体部である。胴体部構成部材５７、５８は、着脱可能に構成され、かつ、扱室カバー３９を開いた状態で扱室１８の上部開口１８ａを通過可能に構成されている。【選択図】図５
2020048420.tif 000002
【特許請求の範囲】
【請求項１】
扱室に設けられる扱胴と、
前記扱胴を上方から覆う開閉可能な扱室カバーと、が備えられ、
前記扱胴は、前後方向に延びる扱胴軸と、前記扱胴軸に支持されると共に複数の扱歯が外周部に取り付けられる胴体と、を有し、
前記胴体は、前記胴体が前後に分割されて構成され、かつ、一体に回転する複数の胴体部を有し、
前記複数の胴体部のうち少なくとも一つの胴体部は、前記胴体部が前記扱胴軸周りの周方向に分割されて構成された複数の胴体部構成部材を有する周方向分割胴体部であり、
前記複数の胴体部構成部材のうち少なくとも一つの胴体部構成部材は、着脱可能に構成され、かつ、前記扱室カバーを開いた状態で前記扱室の上部開口を通過可能に構成されている脱穀装置。
【請求項２】
前記複数の胴体部構成部材の全ては、着脱可能に構成され、かつ、前記扱室カバーを開いた状態で前記上部開口を通過可能に構成されている請求項１に記載の脱穀装置。
【請求項３】
前記複数の胴体部構成部材は、前記胴体部が前記周方向に等分割されて構成されている請求項１又は２に記載の脱穀装置。
【請求項４】
前記胴体は、三つの前記胴体部に前後に分割されて構成され、
前記周方向分割胴体部の前後両隣りに、夫々、他の前記胴体部が存在し、
前記周方向分割胴体部は、前記周方向分割胴体部の前後両隣りの前記胴体部よりも前後方向に長い請求項１から３の何れか一項に記載の脱穀装置。
【請求項５】
前記周方向分割胴体部の前隣りの前記胴体部は、前記周方向分割胴体部の後隣りの前記胴体部よりも前後方向に短い請求項４に記載の脱穀装置。
【発明の詳細な説明】
【技術分野】
【０００１】
本発明は、扱室に設けられる扱胴が備えられている脱穀装置に関する。
【背景技術】
【０００２】
上記のような脱穀装置として、例えば、特許文献１に記載の脱穀装置が既に知られている。特許文献１に記載の脱穀装置には、扱室（文献では「扱室〔２〕」）に設けられる扱胴（文献では「扱胴〔１０〕」）が備えられている。扱胴は、前後方向に延びる扱胴軸（文献では「支軸〔３０〕」）と、扱胴軸に支持されると共に複数の扱歯（文献では「扱歯〔３５〕、〔３６〕」）が外周部に取り付けられる胴体（文献では「扱胴ドラム〔３１〕」）と、を有している。胴体は、その全長に亘る単一の胴体部によって構成されている。
【先行技術文献】
【特許文献】
【０００３】
【特許文献１】特開２０１０−６８７５２号公報
【発明の概要】
【発明が解決しようとする課題】
【０００４】
特許文献１に記載の脱穀装置では、扱胴の組み立てやメンテナンスを行う際に、胴体全体を一体的に取り扱わなければならず、労力を要する。
【０００５】
上記状況に鑑み、扱胴の取り扱い性に優れた脱穀装置が要望されている。
【課題を解決するための手段】
【０００６】
本発明の特徴は、扱室に設けられる扱胴と、前記扱胴を上方から覆う開閉可能な扱室カバーと、が備えられ、前記扱胴は、前後方向に延びる扱胴軸と、前記扱胴軸に支持されると共に複数の扱歯が外周部に取り付けられる胴体と、を有し、前記胴体は、前記胴体が前後に分割されて構成され、かつ、一体に回転する複数の胴体部を有し、前記複数の胴体部のうち少なくとも一つの胴体部は、前記胴体部が前記扱胴軸周りの周方向に分割されて構成された複数の胴体部構成部材を有する周方向分割胴体部であり、前記複数の胴体部構成部材のうち少なくとも一つの胴体部構成部材は、着脱可能に構成され、かつ、前記扱室カバーを開いた状態で前記扱室の上部開口を通過可能に構成されていることにある。
【０００７】
本特徴構成によれば、扱胴の組み立てやメンテナンスを行う際に、胴体を複数の胴体部に分けて取り扱うことにより、胴体全体を一体的に取り扱うよりも労力が少なくて済む。また、胴体部構成部材を取り外すことにより、胴体のうち胴体部構成部材が取り外された箇所の開口から胴体の内部に手を入れて、扱胴のメンテナンス（例えば、胴体を扱胴軸に固定するためのボルトの締緩や扱歯の交換等）を容易に行うことができる。その際、胴体部構成部材を扱室の上部開口から出し入れすることにより、胴体部構成部材の着脱を容易に行うことができる。すなわち、本特徴構成によれば、扱胴の取り扱い性に優れた脱穀装置を実現することができる。
【０００８】
さらに、本発明において、前記複数の胴体部構成部材の全ては、着脱可能に構成され、かつ、前記扱室カバーを開いた状態で前記上部開口を通過可能に構成されていると好適である。
【０００９】
本特徴構成によれば、全ての胴体部構成部材を取り外すことにより、胴体のうち胴体部構成部材が取り外された箇所の開口が大きくなるため、扱胴のメンテナンスを一層容易に行うことができる。その際、全ての胴体部構成部材を扱室の上部開口から出し入れすることにより、全ての胴体部構成部材の着脱を容易に行うことができる。
【００１０】
さらに、本発明において、前記複数の胴体部構成部材は、前記胴体部が前記周方向に等分割されて構成されていると好適である。
【００１１】
本特徴構成によれば、胴体部構成部材の大きさが揃うことになる。これにより、各胴体部構成部材を共通化したり各胴体部構成部材の強度を等しくしたりし易くなる。
【００１２】
さらに、本発明において、前記胴体は、三つの前記胴体部に前後に分割されて構成され、前記周方向分割胴体部の前後両隣りに、夫々、他の前記胴体部が存在し、前記周方向分割胴体部は、前記周方向分割胴体部の前後両隣りの前記胴体部よりも前後方向に長いと好適である。
【００１３】
本特徴構成によれば、胴体のうち胴体部構成部材が取り外された箇所の開口が前後方向に長いものになる。これにより、扱胴のメンテナンスを行う際に、胴体のうち胴体部構成部材が取り外された箇所の開口から胴体の内部に手を入れて、周方向分割胴体部の前隣りの胴体部の内部や周方向分割胴体部の後隣りの胴体部の内部に手を届かせ易くなる。
【００１４】
さらに、本発明において、前記周方向分割胴体部の前隣りの前記胴体部は、前記周方向分割胴体部の後隣りの前記胴体部よりも前後方向に短いと好適である。
【００１５】
ここで、扱胴の前端部には、通常、前方に向かって径が小さくなる縮径部が設けられている。本特徴構成によれば、周方向分割胴体部の前隣りの胴体部の前端部に、縮径部を連設した場合でも、扱胴において、周方向分割胴体部よりも前側の部分の前後長さと周方向分割胴体部よりも後側の部分の前後長さとを同程度にして、前後バランスを良好にすることができる。
【図面の簡単な説明】
【００１６】
【図１】コンバインを示す左側面図である。
【図２】コンバインを示す平面図である。
【図３】脱穀装置を示す左側面断面図である。
【図４】脱穀装置を示す正面断面図である。
【図５】扱室カバー及び右カバーを開いた状態の脱穀装置を示す正面断面図である。
【図６】扱胴が扱室に設けられた状態を示す平面図である。
【図７】扱胴が扱室に設けられた状態を示す斜視図である。
【図８】扱胴を示す左側面断面図である。
【図９】扱胴を示す分解斜視図である。
【図１０】図８におけるＸ−Ｘ断面図である。
【図１１】後胴体部取付工程を示す斜視図である。
【図１２】前胴体部取付工程を示す斜視図である。
【図１３】第一中胴体部構成板を示す斜視図である。
【図１４】第二中胴体部構成板を示す斜視図である。
【図１５】（ａ）一方の第二中胴体部構成板の取り外し方を示す図である。（ｂ）他方の第二中胴体部構成板の取り外し方を示す図である。（ｃ）一方の第一中胴体部構成板の取り外し方を示す図である。（ｄ）他方の第一中胴体部構成板の取り外し方を示す図である。
【発明を実施するための形態】
【００１７】
本発明を実施するための形態について、図面に基づき説明する。
【００１８】
〔コンバインの全体構成〕
図１及び図２には、自脱型コンバインを示している。本コンバインには、機体フレーム１と、クローラ走行装置２と、が備えられている。走行機体の前部には、植立穀稈を刈り取る刈取部３が設けられている。走行機体の前部における右側部分には、運転キャビン４が設けられている。運転キャビン４には、運転者が搭乗する運転部５と、運転部５を覆うキャビン６と、が備えられている。運転部５の下方には、エンジン（図示省略）が設けられている。
【００１９】
運転キャビン４の後方には、脱穀処理後の穀粒を貯留する穀粒貯留タンク７が設けられている。穀粒貯留タンク７内の穀粒を排出する穀粒排出装置８が設けられている。穀粒貯留タンク７の左隣には、脱穀装置９が設けられている。脱穀装置９の左側部には、刈取穀稈を挟持搬送するフィードチェーン１０と、フィードチェーン１０と上下に対向する位置でフィードチェーン１０と共に刈取穀稈を挟持するレール台１１と、が設けられている。脱穀装置９は、扱胴１２を有すると共にフィードチェーン１０によって搬送される刈取穀稈を脱穀処理する。脱穀装置９の後部には、排藁搬送装置１３が連設されている。排藁搬送装置１３は、フィードチェーン１０から脱穀処理後の排藁を受け取って後方へ挟持搬送する。排藁搬送装置１３の下方には、排藁搬送装置１３によって搬送された排藁を切断処理する排藁切断装置１４が設けられている。
【００２０】
〔脱穀装置〕
図３に示すように、脱穀装置９の上部には、扱室１８が形成されている。扱室１８には、扱胴１２が前後向き軸心（回転軸心）Ｙ１周りで回転可能に設けられている。扱胴１２は、扱胴軸２０を介して、扱室１８を形成する前後両側の壁２１に回転可能に支持されている。扱胴１２の下方には、受網２２が設けられている。扱胴１２の後方には、塵埃を外部に排出する排塵ファン２３が設けられている。
【００２１】
脱穀装置９の下部には、選別対象物を揺動選別する揺動選別装置２４や揺動選別装置２４に選別風を送風する唐箕２５、一番物の穀粒（単粒化穀粒等）を回収する一番回収部２６、二番物の穀粒（枝梗付き穀粒等）を回収する二番回収部２７が設けられている。一番回収部２６には、一番物の穀粒を右方へ搬送する一番スクリュ２８が備えられている。一番スクリュ２８からの一番物の穀粒を穀粒貯留タンク７に向けて揚穀搬送する揚穀装置２９が設けられている。揚穀装置２９は、一番スクリュ２８の右端部に連動連結されている。二番回収部２７には、二番物の穀粒を右方へ搬送する二番スクリュ３０が備えられている。二番スクリュ３０からの二番物の穀粒を揺動選別装置２４に還元する二番還元装置３１が設けられている。二番還元装置３１は、二番スクリュ３０の右端部に連動連結されている。
【００２２】
図４から図７に示すように、脱穀装置９の上部における左右両側部の夫々には、脱穀装置９における前部と後部とに亘って前後方向に延びる上部フレーム３２、３３が設けられている。脱穀装置９の左側部には、上唇板３４と下唇板（図示省略）とが設けられている。上唇板３４と前記下唇板との間には、脱穀処理用の刈取穀稈が通過する扱口３５が形成されている。上唇板３４の上部には、複数の藁切刃３６が前後方向に並ぶ状態で取り付けられている。扱胴１２の右上方には、扱室１８内の穀稈等を案内するガイド板３７が設けられている。ガイド板３７は、その下端部が受網２２の右上端部に連なる状態で設けられている。ガイド板３７の上部には、複数の藁切刃３８が前後方向に並ぶ状態で取り付けられている。
【００２３】
扱室１８の上部には、上部開口１８ａが形成されている。上部開口１８ａは、前後方向において、前側の壁２１と後側の壁２１とに亘って形成され、左右方向において、上唇板３４の上端部とガイド板３７の上端部とに亘って形成されている。図５及び図６等には、上部開口１８ａの左右開口幅をＷで示している。
【００２４】
脱穀装置９の上部には、扱胴１２を上方から覆う開閉可能な扱室カバー３９と、扱室カバー３９の右隣に位置する開閉可能な右カバー４０と、が設けられている。扱室カバー３９は、その左端部が前後向き軸心（揺動軸心）Ｙ２周りで揺動可能に左側の上部フレーム３２に支持されている。右カバー４０は、その右端部が前後向き軸心（揺動軸心）Ｙ３周りで揺動可能に右側の上部フレーム３３に支持されている。
【００２５】
図３から図７に示すように、扱胴１２には、前後方向に延びる扱胴軸２０と、扱胴軸２０に支持されると共に複数の扱歯４１が外周部に取り付けられる略円筒形状の胴体４２と、が備えられている。扱胴軸２０は、前側の壁２１と後側の壁２１とに亘って設けられている。扱胴軸２０は、前ベアリング４３を介して前側の壁２１に回転可能に支持され、かつ、後ベアリング４４を介して後側の壁２１に回転可能に支持されている。扱胴軸２０のうち前側の壁２１から前方に突出する部分には、前記エンジンからの駆動力が入力される入力プーリ４５が設けられている。
【００２６】
〔胴体〕
図６から図１０に示すように、胴体４２には、前側部分を構成する前胴体部４６と、後側部分を構成する後胴体部４７と、前胴体部４６と後胴体部４７との間の部分を構成する中胴体部４８（周方向分割胴体部）と、が備えられている。胴体４２は、前胴体部４６、後胴体部４７及び中胴体部４８に前後に三分割されて構成されている。前胴体部４６、後胴体部４７及び中胴体部４８は、これらが一体に回転するように、単一の扱胴軸２０に支持されている。すなわち、胴体４２には、胴体４２が前後に分割（本実施形態では、三分割）されて構成され、かつ、一体に回転する複数（本実施形態では、三つ）の前胴体部４６、後胴体部４７及び中胴体部４８が備えられている。
【００２７】
〔前胴体部〕
前胴体部４６は、ロール成形された板によって構成されている。前胴体部４６には、扱歯４１が取り付けられる孔が多数形成されている。前胴体部４６は、後胴体部４７よりも前後方向に短い。前胴体部４６の前端開口部には、前胴体部４６の前端開口部を塞ぐように、前円板４９がボルト固定されている。前円板４９には、前方に向かって径が小さくなる縮径部４９ａが形成されている。前円板４９の後面（胴体４２の内部側の面）には、前ボス５０がボルト５１によって固定されている。前ボス５０は、扱胴軸２０にボルト５２によって固定されている。
【００２８】
〔後胴体部〕
後胴体部４７は、ロール成形された板によって構成されている。後胴体部４７には、扱歯４１が取り付けられる孔が多数形成されている。後胴体部４７の後端開口部には、後胴体部４７の後端開口部を塞ぐように、後円板５３がボルト固定されている。後円板５３の前面（胴体４２の内部側の面）には、後ボス５４がボルト５５によって固定されている。後ボス５４は、扱胴軸２０にボルト５６によって固定されている。
【００２９】
〔中胴体部〕
中胴体部４８は、ロール成形された板によって構成されている。中胴体部４８には、扱歯４１が取り付けられる孔が多数形成されている。中胴体部４８は、前胴体部４６及び後胴体部４７よりも前後方向に長い。中胴体部４８は、前後方向において、ガイド板３７側の藁切刃３８の前後存在範囲のうち前部に対応する位置と後部に対応する位置とに亘り、かつ、上唇板３４側の藁切刃３６の前後存在範囲の前端よりも前側の位置と上唇板３４側の藁切刃３６の前後存在範囲の後端よりも後側の位置とに亘っている。
【００３０】
中胴体部４８は、二つの第一中胴体部構成板５７（胴体部構成部材）及び二つの第二中胴体部構成板５８（胴体部構成部材）に扱胴軸２０周りの周方向に四分割されて構成されている。すなわち、中胴体部４８には、中胴体部４８が扱胴軸２０周りの周方向に分割（本実施形態では、四分割）されて構成された複数（本実施形態では、四つ）の第一中胴体部構成板５７及び第二中胴体部構成板５８が備えられている。
【００３１】
第一中胴体部構成板５７及び第二中胴体部構成板５８は、中胴体部４８が扱胴軸２０周りの周方向に等分割（９０度間隔で分割）されて構成されている。第一中胴体部構成板５７及び第二中胴体部構成板５８は、扱胴軸２０周りの周方向に交互に配置されている。二つの第一中胴体部構成板５７及び二つの第二中胴体部構成板５８は、全て取り外し可能に構成されている。
【００３２】
第一中胴体部構成板５７のうち扱胴軸２０周りの周方向における両縁部には、夫々、第二中胴体部構成板５８が取り付けられる取り付け座５９が設けられている。第二中胴体部構成板５８のうち扱胴軸２０周りの周方向における両縁部は、夫々、取り付け座５９に対して胴体４２の径方向の外側からボルト固定されている。取り付け座５９には、ボルト固定用のボルト孔５９ａが複数形成されている。第二中胴体部構成板５８のうち扱胴軸２０周りの周方向における両縁部には、夫々、ボルト固定用のボルト孔５８ａが複数形成されている。
【００３３】
〔取り付けフレーム〕
図８から図１０に示すように、前胴体部４６、後胴体部４７及び中胴体部４８が取り付けられる取り付けフレーム６０が設けられている。取り付けフレーム６０には、前リング６１と、後リング６２と、前リング６１と後リング６２とを連結する複数（本実施形態では、四本）の連結部材６３と、前リブ６４と、後リブ６５と、中リブ６６と、が備えられている。
【００３４】
前リング６１には、前胴体部４６の後端部、第一中胴体部構成板５７の前端部及び第二中胴体部構成板５８の前端部が取り外し可能にボルト固定されている。後リング６２には、後胴体部４７の前端部、第一中胴体部構成板５７の後端部及び第二中胴体部構成板５８の後端部が取り外し可能にボルト固定されている。前リング６１は、扱室１８において、脱穀負荷が大きい箇所（扱室１８の前部）に位置しているところ、前リング６１の剛性を向上させるべく、前リブ６４の板厚を後リブ６５の板厚よりも厚くしている。
【００３５】
前リブ６４には、前リング６１の外周面から胴体４２の径方向の外側に突出する突出部６４ａが扱胴軸２０周りの周方向に間隔をあけて複数（本実施形態では、四つ）形成されている。後リブ６５には、後リング６２の外周面から胴体４２の径方向の外側に突出する突出部６５ａが扱胴軸２０周りの周方向に間隔をあけて複数（本実施形態では、四つ）形成されている。
【００３６】
〔扱胴の組立方法〕
図１１から図１４に示すように、扱胴１２の組み立ては、後胴体部取付工程（図１１参照）、前胴体部取付工程（図１２参照）、第一中胴体部構成板取付工程（図１３参照）、第二中胴体部構成板取付工程（図１４参照）の順に行う。
【００３７】
図１１に示すように、後胴体部取付工程では、後胴体部４７を取り付けフレーム６０に取り付ける。その際、後胴体部４７側の凹部４７ａと後リング６２側の切り欠き６２ａとを位置合わせすると共に、後胴体部４７の前端部のうち凸部４７ｂを、突出部６５ａ同士の間に入り込ませる。
【００３８】
図１２に示すように、前胴体部取付工程では、前胴体部４６を取り付けフレーム６０に取り付ける。その際、前胴体部４６のロール継ぎ目Ｊ１と後胴体部４７のロール継ぎ目Ｊ２とを位置合わせすると共に、前胴体部４６の後端部のうち凸部４６ａを、突出部６４ａ同士の間に入り込ませる。
【００３９】
図１３に示すように、第一中胴体部構成板取付工程では、第一中胴体部構成板５７を取り付けフレーム６０に取り付ける。その際、第一中胴体部構成板５７の後端部のうち凸部５７ａを、後胴体部４７の前端部のうち凹部４７ａに嵌合させる。
【００４０】
図１４に示すように、第二中胴体部構成板取付工程では、第二中胴体部構成板５８を取り付けフレーム６０に取り付ける。ここで、第二中胴体部構成板５８のうち一の取り付け座５９に対応する縁部（一縁部）のボルト孔５８ａのピッチ及び一の取り付け座５９のボルト孔５９ａのピッチと、第二中胴体部構成板５８のうち他の取り付け座５９に対応する縁部（他縁部）のボルト孔５８ａのピッチ及び他の取り付け座５９のボルト孔５９ａのピッチとは、異なっている。このため、第二中胴体部構成板５８を取り付けフレーム６０に取り付ける際、第二中胴体部構成板５８の一縁部のボルト孔５８ａが一の取り付け座５９のボルト孔５９ａと合うように、かつ、第二中胴体部構成板５８の他縁部のボルト孔５８ａが他の取り付け座５９のボルト孔５９ａと合うように、第二中胴体部構成板５８の向きを設定する必要がある。
【００４１】
〔第一中胴体部構成板及び第二中胴体部構成板の取り外し方〕
図１５（ａ）から（ｅ）に示すように、二つの第一中胴体部構成板５７及び二つの第二中胴体部構成板５８の全ては、着脱可能に構成され、かつ、扱室カバー３９を開いた状態で上部開口１８ａを通過可能に構成されている。以下では、第一中胴体部構成板５７及び第二中胴体部構成板５８の取り外し方について説明する。
【００４２】
先ず、図１５（ａ）に示すように、二つの第二中胴体部構成板５８のうち一方の第二中胴体部構成板５８が上部開口１８ａに臨むように、扱胴１２を回転させる。そして、一方の第二中胴体部構成板５８の取り付けフレーム６０に対するボルト固定を解除した上で、一方の第二中胴体部構成板５８を上部開口１８ａから取り外すことができる。
【００４３】
続いて、図１５（ｂ）に示すように、二つの第二中胴体部構成板５８のうち他方の第二中胴体部構成板５８が上部開口１８ａに臨むように、扱胴１２を回転させる。そして、他方の第二中胴体部構成板５８の取り付けフレーム６０に対するボルト固定を解除した上で、他方の第二中胴体部構成板５８を上部開口１８ａから取り外すことができる。
【００４４】
続いて、１５（ｃ）に示すように、二つの第一中胴体部構成板５７のうち一方の第一中胴体部構成板５７が上部開口１８ａに臨むように、扱胴１２を回転させる。そして、一方の第一中胴体部構成板５７の取り付けフレーム６０に対するボルト固定を解除した上で、一方の第一中胴体部構成板５７を上部開口１８ａから取り外すことができる。
【００４５】
最後に、１５（ｄ）に示すように、二つの第一中胴体部構成板５７のうち他方の第一中胴体部構成板５７が上部開口１８ａに臨むように、扱胴１２を回転させる。そして、他方の第一中胴体部構成板５７の取り付けフレーム６０に対するボルト固定を解除した上で、他方の第一中胴体部構成板５７を上部開口１８ａから取り外すことができる。
【００４６】
このように、一方の第二中胴体部構成板５８を取り外す形態（１５（ａ）参照）、二つの第二中胴体部構成板５８を取り外す形態（１５（ｂ）参照）、二つの第二中胴体部構成板５８及び一方の第一中胴体部構成板５７を取り外す形態（１５（ｃ）参照）、二つの第二中胴体部構成板５８及び二つの第一中胴体部構成板５７を取り外す形態（１５（ｄ）参照）を、この形態の順で選択することができる。
【００４７】
〔別実施形態〕
（１）上記実施形態では、二つの第一中胴体部構成板５７及び二つの第二中胴体部構成板５８の全てが着脱可能に構成され、かつ、扱室カバー３９を開いた状態で上部開口１８ａを通過可能に構成されている。しかし、二つの第一中胴体部構成板５７及び二つの第二中胴体部構成板５８のうち少なくとも一つの第一中胴体部構成板５７又は第二中胴体部構成板５８が着脱可能に構成され、かつ、扱室カバー３９を開いた状態で上部開口１８ａを通過可能に構成されていればよい。
【００４８】
（２）上記実施形態では、第一中胴体部構成板５７及び第二中胴体部構成板５８は、中胴体部４８が扱胴軸２０周りの周方向に等分割されて構成されている。しかし、第一中胴体部構成板５７及び第二中胴体部構成板５８は、中胴体部４８が扱胴軸２０周りの周方向に不等分割されて構成されていてもよい。
【００４９】
（３）上記実施形態では、中胴体部４８が前胴体部４６及び後胴体部４７よりも前後方向に長い。しかし、中胴体部４８が前胴体部４６よりも前後方向に短くてもよい。あるいは、中胴体部４８が後胴体部４７よりも前後方向に短くてもよい。あるいは、中胴体部４８が前胴体部４６及び後胴体部４７よりも前後方向に短くてもよい。
【００５０】
（４）上記実施形態では、前胴体部４６が後胴体部４７よりも前後方向に短い。しかし、前胴体部４６が後胴体部４７よりも前後方向に長くてもよい。あるいは、前胴体部４６と後胴体部４７とが前後方向に同じ長さであってもよい。
【００５１】
（５）上記実施形態では、胴体４２が前後に三分割されている。しかし、胴体４２が前後に四分割以上されていてもよい。あるいは、胴体４２が前後に二分割されていてもよい。
【００５２】
（６）上記実施形態では、中胴体部４８が扱胴軸２０周りの周方向に四分割されている。しかし、中胴体部４８が扱胴軸２０周りの周方向に五分割以上されていてもよい。あるいは、中胴体部４８が扱胴軸２０周りの周方向に二分割又は三分割されていてもよい。
【産業上の利用可能性】
【００５３】
本発明は、コンバイン用の脱穀装置に利用可能である。
【符号の説明】
【００５４】
９  脱穀装置
１２  扱胴
１８  扱室
１８ａ  上部開口
２０  扱胴軸
３９  扱室カバー
４１  扱歯
４２  胴体
４６  前胴体部
４７  後胴体部
４８  中胴体部（周方向分割胴体部）
５７  第一中胴体部構成板（胴体部構成部材）
５８  第二中胴体部構成板（胴体部構成部材）
【図１】
2020048420.tif 000003
【図２】
2020048420.tif 000004
【図３】
2020048420.tif 000005
【図４】
2020048420.tif 000006
【図５】
2020048420.tif 000007
【図６】
2020048420.tif 000008
【図７】
2020048420.tif 000009
【図８】
2020048420.tif 000010
【図９】
2020048420.tif 000011
【図１０】
2020048420.tif 000012
【図１１】
2020048420.tif 000013
【図１２】
2020048420.tif 000014
【図１３】
2020048420.tif 000015
【図１４】
2020048420.tif 000016
【図１５】
2020048420.tif 000017